(57)【要約】      （修正有）【課題】連結孔の摩耗による連結ロッドの食い込みを防止する。【解決手段】バケットコンベヤＡの巻回方向に対面するバケット１の両側面部１０、１１の双方に設けられた連結体２１、２２ａ、２２ｂの少なくとも一方に、バケットコンベヤＡの巻回方向で隣り合う二つの軸Ｃ１、Ｃ２を有する連結孔２４ａ、２４ｂを備えた。【選択図】図３
2016044040.tif 000002
【特許請求の範囲】
【請求項１】
多数のバケットが、連結部を介して、無端状に連結されると共に、複数の回転体にわたって巻回されたバケットコンベヤであって、
前記連結部は、前記回転体の軸と平行な軸を有し、前記バケット同士を連結する連結ロッドと、
前記連結ロッドに同軸で嵌合される連結孔を有し、前記バケットコンベヤの巻回方向で対面する前記バケットの両側面部の双方に設けられた連結体と、
前記連結孔から該連結孔の径方向に沿って、前記バケットコンベヤの内周側の、前記連結体の端部に至るように連設され、前記連結ロッドに対する前記連結孔の径方向からの嵌脱を案内する嵌脱空間と、を具備し、前記連結孔の少なくとも一方が、前記バケットコンベヤの巻回方向で隣り合う二つの軸を有し、前記二つの軸間を前記連結ロッドが移動するようにされていることを特徴とするバケットコンベヤ。
【請求項２】
前記二つの軸を有する前記連結孔が設けられた前記連結体に、前記嵌脱空間を開閉自在に塞ぐ開閉体が設けられていることを特徴とする請求項１記載のバケットコンベヤ。
【請求項３】
前記開閉体が、前記連結ロッドに対する前記嵌脱空間の嵌脱方向に沿う軸を中心に回転自在に支持され、前記開閉体の一方向の回転により、前記嵌脱空間に対して対面して該嵌脱空間を塞ぎ、前記開閉体の他方向への回転により、前記嵌脱空間を開放するようにされていることを特徴とする請求項２記載のバケットコンベヤ。
【請求項４】
前記開閉体が、前記嵌脱空間の嵌脱方向と前記バケットコンベヤの巻回方向で交差する方向で隣り合うように配された一対のバネ部材からなり、前記一対のバネ部材は、互いに近接する方向に付勢力が作用するように設けられ、接近状態において前記嵌脱空間を閉鎖し、前記付勢力に抗して離間することによって前記嵌脱空間を開放するようにされていることを特徴とする請求項２記載のバケットコンベヤ。
【請求項５】
前記二つの軸を有する前記連結孔が設けられた前記連結体が、厚み方向が前記連結孔の軸に沿うように、他方の前記連結体の軸方向両端側に配置された板状連結体であり、前記板状連結体の範囲中、前記連結孔から前記嵌脱空間が形成された範囲の肉厚が最も薄肉であることを特徴とする請求項１乃至４いずれか１項記載のバケットコンベヤ。
【発明の詳細な説明】
【技術分野】
【０００１】
本発明は、多数のバケットが、連結部を介して、無端状に連結されると共に、複数の回転体にわたって巻回されたバケットコンベヤに関する。
【背景技術】
【０００２】
多数のバケットが、連結部を介して、無端状に連結されると共に、複数の回転体にわたって巻回されたバケットコンベヤは、下記特許文献１に記載されているものが知られている。
【０００３】
前述のバケットコンベヤは、連結部が、回転体の軸と平行な軸を有し、環状体に所定のピッチで突設された複数の連結ロッドと、環状体の巻回方向に対面するバケットの両側面部の双方に設けられた連結体と、前記連結ロッドと同軸の軸を有して、前記連結体の双方に形成され、連結ロッドに軸支される連結孔と、連結孔からこの連結孔の径方向に沿い、且つ環状体の巻回方向と交差する方向に向かって、連結体の端部に至るように連設され、連結ロッドに対する連結孔の径方向からの嵌脱を案内する嵌脱空間とを具備している。
【０００４】
前述の連結部を有するバケットコンベヤによると、環状体に対して複数のバケットを無端状に連結することができると共に、バケットを連結ロッドに対して着脱できる。
【先行技術文献】
【特許文献】
【０００５】
【特許文献１】特許第５０５２４４５号公報
【発明の概要】
【発明が解決しようとする課題】
【０００６】
しかしながら、特許文献１のバケットコンベヤは、環状体の搬送回転において回転体に沿う回転時に環状体が摩耗や負荷により伸長して、連結ロッドのピッチが連結孔のピッチよりも長くなり、連結ロッドの軸と連結孔の軸との間にピッチ差が生じるという問題があった。
【０００７】
このピッチ差が生じた場合、連結ロッドの接触摩擦によって、連結孔が環状体の搬送回転方向に摩耗して、この摩耗部分に連結ロッドが食い込んでしまうという問題が生じる。
【０００８】
そして、前述の摩耗部分に連結ロッドが食い込んでしまうと、搬送動作に過度な摩擦抵抗が生じて、搬送動作に不具合が生じたり、連結ロッドも摩耗してこの連結ロッドが破損したりするという問題が生じてしまう。
【０００９】
また、連結ロッドの摩耗部分への食い込みによって、バケットが連結ロッドから取り外し難くなり、無理に取り外そうとすると連結体や連結ロッドが破損するおそれがあるという問題があった。
【００１０】
また、ピッチ差によって、連結ロッドが連結孔に食い込んだ状態で、バケットを無理に取り外そうとすると、連結体や連結ロッド、更にはバケットが破損するという問題があった。
【００１１】
更に、連結ロッドを連結孔に食い込ませようとする力は、連結孔と嵌脱空間の側縁に作用するが、連結孔と嵌脱空間が形成された部位の強度によっては、連結ロッドを連結孔に食い込ませようとする力が、連結ロッドを食い込ませずに、連結孔が連結ロッドから抜ける方向に作用し、これによって、連結孔が連結ロッドから抜けて、連結されたバケットが外れてしまうという問題もあった。
【００１２】
本発明は、このような問題に対処することを課題の一例とするものである。すなわち、連結孔の摩耗による連結ロッドの食い込みを防止できること、連結ロッドの食い込みを防止することで、搬送動作において過度な摩擦抵抗の発生を防止できること、これによって、搬送動作に不具合の発生を防止できると共に、バケットの連結ロッドからの取り外しを容易にでき、且つ取り外し時の連結体や連結ロッドの破損を防止できること、更に、連結体とバケットのピッチ差によるバケットの外れを防止すること、これによって、搬送動作中のバケットコンベヤを確実に搬送動作させることができること、等が本発明の目的である。
【課題を解決するための手段】
【００１３】
このような目的を達成するために、本発明によるバケットコンベヤは、以下の構成を少なくとも具備するものである。
【００１４】
多数のバケットが、連結部を介して、無端状に連結されると共に、複数の回転体にわたって巻回されたバケットコンベヤであって、前記連結部は、前記回転体の軸と平行な軸を有し、前記バケット同士を連結する連結ロッドと、前記連結ロッドに同軸で嵌合される連結孔を有し、前記バケットコンベヤの巻回方向で対面する前記バケットの両側面部の双方に設けられた連結体と、前記連結孔から、該連結孔の径方向に沿って、前記バケットコンベヤの内周側の、前記連結体の端部に至るように連設され、前記連結ロッドに対する前記連結孔の径方向からの嵌脱を案内する嵌脱空間と、を具備し、前記連結孔の少なくとも一方が、前記バケットコンベヤの巻回方向で隣り合う二つの軸を有し、前記二つの軸間を前記連結ロッドが移動するようにされていることを特徴とするバケットコンベヤである。
【００１５】
前記二つの軸を有する前記連結孔が設けられた前記連結体に、前記嵌脱空間を開閉自在に塞ぐ開閉体を設けることが好ましい。
【００１６】
前記開閉体が、前記連結ロッドに対する前記嵌脱空間の嵌脱方向に沿う軸を中心に回転自在に支持され、前記開閉体の一方向の回転により、前記嵌脱空間に対して対面して該嵌脱空間を塞ぎ、前記開閉体の他方向への回転により、前記嵌脱空間を開放するようにされていることが好ましい。
【００１７】
前記開閉体が、前記嵌脱空間の嵌脱方向と前記バケットコンベヤの巻回方向で交差する方向で隣り合うように配された一対のバネ部材からなり、前記一対のバネ部材は、互いに近接する方向に付勢力が作用するように設けられ、接近状態において前記嵌脱空間を閉鎖し、前記付勢力に抗して離間することによって前記嵌脱空間を開放するようにされていることが好ましい。
【００１８】
前記二つの軸を有する前記連結孔が設けられた前記連結体が、厚み方向が前記連結孔の軸に沿うように、他方の前記連結体の軸方向両端側に配置された板状連結体であり、前記板状連結体の範囲中、前記連結孔から前記嵌脱空間が形成された範囲の肉厚が最も薄肉であることが好ましい。
【発明の効果】
【００１９】
このような特徴を有することで本発明は、以下の効果を奏する。すなわち、連結孔の摩耗による連結ロッドの食い込みを防止できる。連結ロッドの食い込みを防止することで、搬送動作において過度な摩擦抵抗の発生を防止できる。これによって、搬送動作に不具合の発生を防止できると共に、バケットの連結ロッドからの取り外しを容易にでき、且つ取り外し時の連結体や連結ロッドの破損を防止できる。更に、連結体とバケットのピッチ差によるバケットの外れを防止することができ、これによって、搬送動作中のバケットコンベヤを確実に搬送動作させることができる。
【図面の簡単な説明】
【００２０】
【図１】本発明に係る一実施形態のバケットコンベヤの全体図である。
【図２】図１の拡大平面図であり、バケットコンベヤの一部を示す。
【図３】（ａ）バケットの要部拡大図であり、（ｂ）は（ａ）の（ｂ）-（ｂ）線断面図である。
【図４】連結ロッド間のピッチと連結孔間のピッチの関係を説明する説明図である。
【図５】（ａ）はバケットの斜視図であり、（ｂ）は（ａ）の要部拡大図である。
【図６】接触体の作用を説明する説明図である。
【図７】（ａ）はバケットコンベヤの第二実施形態を示す要部拡大図であり、（ｂ）は（ａ）の（ｂ）-（ｂ）線断面図である。
【図８】（ａ）はバケットコンベヤの第三実施形態を示す拡大側面図であり、（ｂ）は（ａ）の（ｂ）-（ｂ）線断面図である。
【図９】バケットコンベヤの第四実施形態を示す要部拡大側面図である。
【発明を実施するための形態】
【００２１】
以下、本発明に係る第一実施形態のバケットコンベヤＡを図面に基づいて説明する。
【００２２】
バケットコンベヤＡは、複数のスプロケット（回転体）Ａ１にわたり巻回されて搬送回転するチェーン（環状体）Ａ２に、多数のバケット１が、連結部２を介して無端状に連結されてなる。
【００２３】
バケット１は、合成樹脂材を用いて一体成型されたものであり、搬送物Ｂを貯留する貯留凹部２０と、連結部２の一部を構成する筒状連結体２１と、連結体（以下、板状連結体という）２２ａ、２２ｂとを備えている。
【００２４】
連結部２は、スプロケットＡ１の軸と平行な軸を有し、チェーンＡ２に所定のピッチで突設された複数の連結ロッド２３と、筒状連結体２１と、板状連結体２２ａ、２２ｂと、筒状連結体２１の内周に確保された連結孔２４と、板状連結体２２ａ、２２ｂに開孔された連結孔２４ａ、２４ｂと、連結孔２４に連設された嵌脱空間２５と、連結孔２４ａ、２４ｂに連設された嵌脱空間２５ａ、２５ｂと、板状連結体２２ａ、２２ｂの間に配され、筒状連結体２１の周面に常に接触するように設けられた接触体２６とを備えている。
【００２５】
尚、以下では、バケットコンベヤＡの搬送方向（図１における矢印方向）を前、搬送方向と反対側を後、スプロケットＡ１の軸方向を左右、という。
【００２６】
チェーンＡ２は、バケット１の左右に配された一対のものであり、この一対のチェーンＡ２間に連結ロッド２３が架け渡されている。
【００２７】
筒状連結体２１は、バケット１の前端側に、軸長をバケット１の左右幅と同じ長さとして連設され、筒状連結体２１の周面の軸方向の全域に、軸方向に貫通する内周に確保された連結孔２４と連通するように嵌脱空間２５が形成されている。
【００２８】
連結ロッド２３は、丸棒状を呈し、チェーンＡ２の連結軸を兼用するようにされている。
【００２９】
連結孔２４は、連結ロッド２３の直径に適合する直径として形成され、嵌脱空間２５は、連結ロッド２３の直径未満の幅として形成されている。
【００３０】
嵌脱空間２５は、バケットコンベヤＡの内周側に向かうように形成されている。
【００３１】
このような連結孔２４は、嵌脱空間２５を連結ロッド２３に嵌合し、更に、押し込むことで嵌脱空間２５を拡開させると共に、連結ロッド２３を通過させることで、連結孔２４を連結ロッド２３に嵌合させることができる。
【００３２】
また、嵌合を解除するには、バケット１を、連結ロッド２３に対する嵌脱空間２５の押し込み方向と逆方向に引き抜くようにすることによって、嵌脱空間２５が拡開されて、連結ロッド２３に対する連結孔２４の嵌合を解除することができる。
【００３３】
板状連結体２２ａ、２２ｂは、バケット１の左右後端から後方に突設された板状のものであり、筒状連結体２１の左右端部の外側に対面して、筒状連結体２１の左右端部を挟むように配されている。
【００３４】
また、板状連結体２２ａ、２２ｂは、連結孔２４ａ、２４ｂの上方から下端縁２２ａ１、２２ｂ１に至る範囲Ｌ１の厚みが、他の範囲Ｌ２の厚みよりも薄く形成されており、板状連結体２２ａ、２２ｂの範囲Ｌ１を変形させやすくなっている。
【００３５】
連結孔２４ａ、２４ｂは、図３、及び図４に示すように、前後方向に隣り合う二つの軸Ｃ１、Ｃ２を有すると共に、上下方向の直径を連結ロッド２３の直径に適合する直径とする長孔状に形成されており、前方側の軸Ｃ１と筒状連結体２１の連結孔２４の軸Ｃ３との間のピッチＰ１が、連結ロッド２３間（チェーンＡ２の連結軸間）のピッチＰ２と同ピッチとして設定されている。
【００３６】
嵌脱空間２５ａ、２５ｂは、連結孔２４ａ、２４ｂの縁から、バケットコンベヤＡの内周側の下端縁２２ａ１、２２ｂ１に至るように設けられており、下端縁２２ａ１、２２ｂ１側から連結ロッド２３に嵌合して押し込むことで、連結孔２４ａ、２４ｂを連結ロッド２３に嵌合させるようされている。
【００３７】
嵌脱空間２５ａ、２５ｂは、連結孔２４ａ、２４ｂ側の端部幅を連結ロッド２３の直径未満の幅とし、下端縁２２ａ１、２２ｂ１側の端部幅を連結ロッド２３の直径を超える幅として、連結孔２４ａ、２４ｂ側から下端縁２２ａ１、２２ｂ１側に向かって末広がり状に形成されている。
【００３８】
また、嵌脱空間２５ａ、２５ｂは、連結孔２４ａ、２４ｂ側の端部幅が、長孔状の連結孔２４ａ、２４ｂの長手方向の幅よりも短い幅であり、軸Ｃ１、及び軸Ｃ２に連結ロッド２３が同軸で位置したときに、嵌脱空間２５ａ、２５ｂの連結孔２４ａ、２４ｂ側の端部が連結ロッド２３の周面を下側（チェーンＡ２の内側）から支える位置となるようにされている。
【００３９】
すなわち、連結孔２４ａ、２４ｂを連結ロッド２３に嵌合させるときに、嵌脱空間２５ａ、２５ｂを連結ロッド２３に嵌合させやすく、連結孔２４ａ、２４ｂの連結ロッド２３への嵌合時に抜け難くできる。
【００４０】
また、連結ロッド２３が連結孔２４ａ、２４ｂの軸Ｃ１、及び軸Ｃ２に位置しているときには、嵌脱空間２５ａ、２５ｂの端部によって支えられ、連結ロッド２３の軸Ｃ１、及び軸Ｃ２の移動時には、嵌脱空間２５ａ、２５ｂの端部幅が連結ロッド２３の直径未満であると共に、嵌脱空間２５、２５ａ、２５ｂの連結ロッド２３に対する嵌脱方向が、連結孔２４ａ、２４ｂの長手方向（連結ロッド２３が軸Ｃ１と軸Ｃ２とに移動する方向）と、上下方向（チェーンＡ２の内外を直線状に通過する方向）で交差する方向であるので、搬送動作中に連結孔２４ａ、２４ｂが連結ロッド２３に対する嵌合解除を防止することができる。
【００４１】
連結ロッド２３に連結孔２４ａ、２４ｂを嵌合させるには、嵌脱空間２５ａ、２５ｂを連結ロッド２３に嵌合し、更に、押し込むことで嵌脱空間２５ａ、２５ｂを拡開させると共に、連結ロッド２３を通過させることで、連結孔２４ａ、２４ｂを連結ロッド２３に嵌合させることができる。
【００４２】
また、嵌合を解除するには、バケット１を、連結ロッド２３に対する嵌脱空間２５ａ、２５ｂの押し込み方向と逆方向に引き抜くようにすることによって、嵌脱空間２５ａ、２５ｂが拡開されて、連結ロッド２３に対する連結孔２４ａ、２４ｂの嵌合を解除することができる。
【００４３】
嵌脱空間２５ａ、２５ｂは、変形しやすい板状連結体２２ａ、２２ｂの範囲Ｌ１内に配されているので、連結ロッド２３に対する連結孔２４ａ、２４ｂの嵌脱時において、嵌脱空間２５ａ、２５ｂを容易に拡開させることができ、これにより、バケット１の取り付け・取り外しを容易に行うことができる。
【００４４】
後方側の軸Ｃ２と軸Ｃ３との間のピッチＰ３は、チェーンＡ２の搬送回転中にチェーンＡ２が伸長して、ピッチＰ２の長さが変化したときの長さに設定されており、搬送回転中におけるピッチＰ２のピッチＰ３への変化があっても、連結ロッド２３が連結孔２４ａ、２４ｂの後方側の軸Ｃ２側に移動でき、この移動によって搬送回転中におけるピッチＰ２からピッチＰ３への移動変化量を吸収することができる。
【００４５】
すなわち、搬送回転中にチェーンＡ２が伸長しても、連結ロッド２３の連結孔２４ａ、２４ｂに対する過度な接触摩擦を防止することができると共に、接触摩擦による連結孔２４ａ、２４ｂや連結ロッド２３の摩耗を防止することができる。
【００４６】
これによって、連結孔２４ａ、２４ｂや連結ロッド２３の摩耗による強度低下を防止でき、この強度低下の防止によって、搬送動作中の連結孔２４ａ、２４ｂや連結ロッド２３の破損を防止することができる。
【００４７】
しかも、連結ロッド２３の摩耗部分への食い込みによる搬送動作の不具合を解消でき、その上、板状連結体２２ａ、２２ｂを連結ロッド２３から容易に取り外すことができるので、バケット１の取り外し時の板状連結体２２ａ、２２ｂや連結ロッド２３の破損を防止できる。
【００４８】
接触体２６は、図５、及び図６に示すようにバケット１の後方側の側壁１０から後方に向かって突出すると共に、板状連結体２２ａ、２２ｂとの間の全域にわたるように、側壁１と板状連結体２２ａ、２２ｂとに一体に設けられており、バケット１の後方側の側壁１０と筒状連結体２１の周面との間隔Ｗを塞ぐように、突出側の端部（以下、先端部という）２６ａ側の下面に設定された接触面部２６ｂが筒状連結体２１の周面の軸方向全域に接触するように配されている。
【００４９】
接触体２６は、先端部２６ａからバケット１側に向かって厚みが増すように、先端部２６ａが鋭角な断面三角形状を呈するように形成されており、搬送動作中にバケット１から漏れた搬送物を、連設された隣のバケット１に案内することができると共に、先端部２６ａが筒状連結体２１の周面にこびり付く搬送物をこそぎ取ることができるようにされている。
【００５０】
また、接触体２６は、先端部２６ａから接触面部２６ｂにわたる範囲で、接触体２６の左右端部と板状連結体２２ａ、２２ｂとの間に、隙間Ｓが確保されており、この隙間Ｓによって、接触体２６の先端部２６ａから接触面部２６ｂにわたる範囲で弾性変形するようにされている。
【００５１】
このような接触体２６によると、筒状連結体２１に対して接触面部２６ｂを弾性変形させて、押し付け力が作用した状態で接触させることによって、筒状連結体２１に対する接触面部２６ｂの接触の確実性を向上させることができる。
【００５２】
特に、図６に示すように、スプロケットＡ１部分でバケット１の向きが変わる方向に回転したときや、チェーンＡ２の伸長によって連結ロッド２３のピッチがピッチＰ２からピッチＰ３に変化したときにおいても、弾性変形による押し付け力を作用させることができるので、バケット１の搬送方向の全周において、搬送物Ｂの漏れ出しを防止することができる。
【００５３】
また、筒状連結体２１に対する接触摩擦で接触面部２６ｂや筒状連結体２１の周面に摩耗が生じても、弾性変形による押し付け力が作用しているので、筒状連結体２１に対する接触面部２６ｂの接触の確実性を保持できる。
【００５４】
したがって、接触体２６が、バケット１の後方側の側壁１０と筒状連結体２１の周面との隙間Ｓを塞ぐことによって、バケットａから漏れ出た搬送物のバケットコンベヤＡ外へのこぼれ落ちを防止できると共に、漏れ出た搬送物を隣り合うバケット１に案内することができるので、搬送物を無駄なく搬送することができ、しかも、搬送物のこぼれ落ちる量を少なくできるので、バケットコンベヤＡ周辺の清掃を容易に行うことができる。
【００５５】
前述した弾性変形の量については、接触面部２６ｂが常に筒状連結体２１の周面に接触する程度の押し付け力が作用する量であればよい。
【００５６】
次に、バケットコンベヤＡ’の第二実施形態を図７に基づいて説明する。尚、第一実施形態と重複する部分についての説明は、同符号を付すことにより省略する。また、連結部２の構成が、連結孔２４ａ、２４ｂとで同じものであるので、以下では、連結孔２４ａ側のみを図示して説明する。
【００５７】
バケットコンベヤＡ’の連結部２は、軸Ｃ１、及び軸Ｃ２を有する連結孔２４ａの長手方向の直径と、嵌脱空間２５ａの前後方向の幅とを同じとし、且つ嵌脱空間２５ａを開閉する開閉体２７ａが設けられている。
【００５８】
嵌脱空間２５ａは、前後方向の幅を、連結孔２４ａから下端縁２２ａ１まで同幅として形成されている。
【００５９】
開閉体２７ａは、嵌脱空間２５ａの後方側の縁に沿う軸を中心に回転することで、一方の回転で嵌脱空間２５ａの前後方向にわたるように閉鎖し、他方の回転で嵌脱空間２５ａを開放するようにされている。
【００６０】
開閉体２７ａの回転中心となる軸は、この軸となる板状連結体の部分を薄肉にすることで構成されるものであり、薄肉状の軸部２７ａ１が折れ曲がることで開閉体２７ａが回転できるようになっている。
【００６１】
また、開閉体２７ａは、嵌脱空間２５ａの閉鎖時に、開閉体２７ａの軸部２７ａ１と反対側の縁側の面と、この縁側の面と対面する板状連結体の面とが互いに対面するように形成されている。
【００６２】
また、互いに対面する一方の開閉体２７ａ側には、凸部２７ａ２が形成され、他方の板状連結体側には、凸部２７ａ２が嵌脱自在に嵌合する嵌合凹部２７ａ３が形成されている。
【００６３】
すなわち、開閉体２７ａの閉鎖時において、凸部２７ａ２が嵌合凹部２７ａ３に嵌合することで、閉鎖状態を保持し、開閉体２７ａを開放方向へ回転させる方向に力を加えることで、嵌合凹部２７ａ３に対する凸部２７ａ２の嵌合を解除するようにされている。
【００６４】
また、開閉体２７ａの上端縁は、開閉体２７ａによる嵌脱空間２５ａの閉鎖時に、連結孔２４ａの下端縁を構成する位置、且つ連結孔２４ａの上下の直径が、連結ロッド２３の直径と同等となる位置に設定され、これによって、開閉体２７ａによる嵌脱空間２５ａの閉鎖時に、連結孔２４ａを形成できるようになっている。
【００６５】
このような、連結部２としたバケットコンベヤＡ’によると、開閉体２７ａが嵌脱空間２５ａを閉鎖することによって、第一実施形態のバケットコンベヤＡと同様に、チェーンＡ２の伸長による連結ロッド２３のピッチの変化を吸収することができる連結孔２４ａを形成し、開閉体２７ａが嵌脱空間２５ａを開放することによって、連結ロッド２３に対する連結孔２４ａの嵌合を解除することができる。
【００６６】
しかも、嵌脱空間２５ａの幅が、連結孔２４ａの長手方向の直径と同じであるため、連結ロッド２３に対する連結孔２４ａの嵌脱時に、嵌脱空間２５ａを連結ロッド２３に接触させることなく嵌脱することができ、これによって、連結ロッドに対する板状連結体２２ａの連結、及び連結解除を容易に行うことができる。
【００６７】
次に、バケットコンベヤＡ’’の第三実施形態を図８に基づいて説明する。尚、第一実施形態と重複する部分についての説明は、同符号を付すことにより省略する。また、連結部２の構成が、連結孔２４ａ、２４ｂとで同じものであるので、以下では、連結孔２４ａ側のみを図示して説明する。
【００６８】
バケットコンベヤＡ’’の連結部２は、軸Ｃ１、及び軸Ｃ２を有する連結孔２４ａの長手方向の直径と、嵌脱空間２５ａの前後方向の幅とを同じとし、且つ嵌脱空間２５ａを開閉する開閉体２８ａが設けられている。
【００６９】
嵌脱空間２５ａは、連結孔２４ａ側の幅を連結孔２４ａの長手方向の直径と同じとし、且つ連結孔２４ａ側から下端縁２２ａ１まで末広がりとなるように形成されている。
【００７０】
開閉体２８ａは、板状連結体に固定され、下方に向かうと共に、前後方向に変形、及び変形から復帰する方向に付勢力が作用する２枚のバネ部材２８ａ１、２８ａ２と、バネ部材２８ａ１、２８ａ２に連設され、嵌脱空間２５ａ、２５ｂの閉鎖状態において、連結孔２４ａの下端縁を構成するように、嵌脱空間２５ａ、２５ｂの中央部で互いに接触する突起部２８ａ３、２８ａ４と、突起部２８ａ３、２８ａ４から下方へ、突起部２８ａ３、２８ａ４の接触状態において下方に末広がりとなるように形成された案内部２８ａ５、２８ａ６とから構成されている。
【００７１】
また、突起部２８ａ３、２８ａ４の上端縁は、この突起部２８ａ３、２８ａ４同士の接触による嵌脱空間２５ａの閉鎖時に、連結孔２４ａの下端縁を構成する位置、且つ連結孔２４ａの上下の直径が、連結ロッド２３の直径と同等となる位置に設定され、これによって、突起部２８ａ３、２８ａ４同士の接触による嵌脱空間２５ａの閉鎖時に、連結孔２４ａを形成できるようになっている。
【００７２】
このような開閉体２８ａは、連結ロッド２３に案内部２８ａ５、２８ａ６を押し込むことでバネ部材２８ａ１、２８ａ２が前後方向に曲り変形し、この曲り変形に伴って、突起部２８ａ３、２８ａ４が離間することで嵌脱空間２５ａが開放される。
【００７３】
連結ロッド２３が嵌脱空間２５ａを通過すると同時に、バネ部材２８ａ１、２８ａ２が曲り変形で生じる付勢力によって、突起部２８ａ３、２８ａ４同士が接触する状態に復帰して、嵌脱空間２５ａが閉鎖され、連結ロッド２３に嵌合された状態の連結孔２４ａが形成される。
【００７４】
連結ロッド２３に対する連結孔２４ａの嵌合を解除するには、案内部２８ａ５、２８ａ６を、バネ部材２８ａ１、２８ａ２の付勢力に抗して前後方向に拡開することで、突起部２８ａ３、２８ａ４を離間させることで嵌脱空間２５ａを開放することで行うことができる。
【００７５】
このような、連結部２としたバケットコンベヤＡ’’によると、バネ部材２８ａ１、２８ａ２の付勢力による突起部２８ａ３、２８ａ４相互の接触で嵌脱空間２５ａを閉鎖することによって、第一実施形態のバケットコンベヤＡと同様に、チェーンＡ２の伸長による連結ロッド２３のピッチの変化を吸収することができる連結孔２４ａを形成することができ、バネ部材２８ａ１、２８ａ２の付勢力に抗して突起部２８ａ３、２８ａ４を離間させることによって、嵌脱空間２５ａ、２５ｂを開放して連結ロッド２３に対する連結孔２４ａの嵌合を解除することができる。
【００７６】
しかも、嵌脱空間２５ａが、連結孔２４ａ側の幅を連結孔２４ａの長手方向の直径と同じとし、且つ連結孔２４ａ側から下端縁２２ａ１まで末広がりとなるように形成されているので、第二実施形態のバケットコンベヤＡ’’と同様に、連結ロッド２３に対する連結孔２４ａの嵌脱時に、嵌脱空間２５ａを連結ロッド２３に接触させることなく嵌脱することができ、これによって、連結ロッド２３に対する板状連結体２２ａの連結、及び連結解除を容易に行うことができる。
【００７７】
以上説明したとおり、バケットコンベヤＡ、Ａ’、Ａ’’は、搬送物のバケット１外への漏れ出しを防止できる。搬送物のバケット１外への漏れ出しを防止することで、搬送物の無駄を無くすことができると共に、周辺の清掃作業を容易にできる。
【００７８】
その上、連結孔２４ａ、２４ｂの摩耗による連結ロッド２３の食い込みを防止できる。連結ロッド２３の食い込みを防止することで、搬送動作において過度な摩擦抵抗の発生を防止できる。これによって、搬送動作中の不具合の発生を防止できると共に、バケット１の連結ロッド２３からの取り外しを容易にでき、且つ取り外し時の板状連結体や連結ロッド２３の破損を防止できる。
【００７９】
第一実施形態〜第三実施形態のバケットコンベヤＡ、Ａ’、Ａ’’は、連結部２が、スプロケットＡ１の軸と平行な軸を有し、チェーンＡ２に所定のピッチで突設された複数の連結ロッド２３と、筒状連結体２１と、板状連結体２２ａ、２２ｂと、筒状連結体２１の内周に確保された連結孔２４と、板状連結体２２ａ、２２ｂに開孔された連結孔２４ａ、２４ｂと、連結孔２４に連設された嵌脱空間２５と、連結孔２４ａ、２４ｂに連設された嵌脱空間２５ａ、２５ｂと、板状連結体２２ａ、２２ｂの間に配され、筒状連結体２１の周面に常に接触するように設けられた接触体２６とを備えたものであるが、本発明では、バケットコンベヤＡ’’’の第四実施形態として、図９に示すように、チェーンＡ２を備えていない連結部２を有するチェーンレスタイプのバケットコンベヤＡ’’’とすることができる。
【００８０】
尚、第一実施形態〜第三実施形態のバケットコンベヤＡ、Ａ’、Ａ’’と重複する部位についての説明は、同符号を付すことにより省略する。
【００８１】
バケットコンベヤＡ’’’の連結部２は、連結孔２４、２４ａ、２４ｂに嵌合されて、バケット１の外側に突出する連結ロッド２３の両端に、ローラ２３ｃを軸支し、このローラ２３０を、スプロケットＡ１の凹部Ａ１０に嵌合して構成されたものである。
【００８２】
すなわち、バケット１同士を連結ロッド２３によって無端状に連結すると共に、連結ロッド２３に軸支されたローラ２３ｃをスプロケットＡ１の凹部Ａ１０に嵌合することによって、複数のスプロケットＡ１に巻回されたバケットコンベヤＡ’’’を構成することができ、駆動回転するスプロケットＡ１の回転によって、バケットコンベヤＡ’’’を搬送回転させることができる。
【００８３】
バケットコンベヤＡ’’’は、連結部２がチェーンＡ２を不要として構成されているため、バケットコンベヤＡ’’’の構造を簡易化することができると共に、チェーンＡ２の伸長を原因とする、連結孔２４ａ、２４ｂの摩耗による連結ロッド２３の食い込み量を減少させることができ、これによる搬送動作の過度な摩擦抵抗の発生を軽減することができる。
【００８４】
しかも、バケットコンベヤＡ’’’は、第一実施形態〜第三実施形態のバケットコンベヤＡ、Ａ’、Ａ’’の各構成（連結孔２４ａ、２４ｂ、開閉体２７ａ、２８ａ、接触体２６等）を適用することができ、これによって、第一実施形態〜第三実施形態のバケットコンベヤＡ、Ａ’、Ａ’’の効果と同じ効果を奏することができる。
【符号の説明】
【００８５】
Ａ：バケットコンベヤ
Ａ’：バケットコンベヤ
Ａ’’：バケットコンベヤ
Ａ’’’：バケットコンベヤ
Ａ１：スプロケット（回転体）
Ａ２：チェーン（環状体）
１：バケット
１０：側面部
１１：側面部
２：連結部
２１：筒状連結体（連結体）
２２ａ：板状連結体（連結体）
２２ｂ：板状連結体（連結体）
２３：連結ロッド
２４：連結孔
２４ａ：連結孔
２４ｂ：連結孔
２５：嵌脱空間
２５ａ：嵌脱空間
２５ｂ：嵌脱空間
２６：接触体
２２ａ１：下端縁
２２ｂ１：下端縁
Ｌ１：範囲
Ｌ２：範囲
Ｃ１：軸
Ｃ２：軸
Ｃ３：軸
Ｐ１：ピッチ
Ｐ２：ピッチ
Ｐ３：ピッチ
２５ａ：嵌脱空間
２５ｂ：嵌脱空間
２６ａ：突出側端部（先端部）
２６ｂ：接触面部
２：隙間
２７ａ：開閉体
２７ａ１：軸部
２８ａ：開閉体
２８ａ１：バネ部材
２８ａ２：バネ部材
【図１】
2016044040.tif 000003
【図２】
2016044040.tif 000004
【図３】
2016044040.tif 000005
【図４】
2016044040.tif 000006
【図５】
2016044040.tif 000007
【図６】
2016044040.tif 000008
【図７】
2016044040.tif 000009
【図８】
2016044040.tif 000010
【図９】
2016044040.tif 000011